(57)【要約】【課題】使用者は、自身で簡単に組み立てが可能で、需要に応じて、随意に、厨房の適当な場所に置放することが出来、各種皿器を容置することができる厨房整理棚を提供する。【解決手段】本考案の厨房整理棚は、二つの側板を有し、その頂部に貫通孔を有し、外壁は、定位環縁を有する軟質管を有して定位し、軟質管の内側に、それぞれ、挿置槽を凹設して、バーの端部を定位し、バーは、複数の碗皿置放フレームを跨置する。碗皿置放フレーム底端は、それぞれ、盛水盤を滑設し、碗皿置放フレームから落ちる水滴を受ける。【選択図】図７
0003111071.tif 000002
【実用新案登録請求の範囲】
【請求項１】
厨房整理棚であって、
それぞれ、プラスチック材で、吹気方式で一体成形され、左右対称の中空板体を呈し、頂端所定位置は、それぞれ、横向けに排列された貫通孔を形成し、且つ、前記貫通孔内壁縁の適所に、定位環緑を設けている二つの側板と、
それぞれ、ゴム材から一体成形され、二つの前記側板内側から外に、各貫通孔中に嵌入され、外周壁面の適所に、定位環溝を有し、前記定位環緑と相互に係合して定位し、中央に、更に、相対する挿置槽を凹設する複数の軟質管と、
二端は、それぞれ、前記側板内側から前記軟質管の挿置槽に挿入され、支承作用を提供する複数のバーと、
それぞれ、複数の金属棒により適当に溶接されてなり、頂端は、碗皿を承載する置放空間を形成すると共に、底端前、後側は、跨置部を形成し、底端左、右側に、それぞれ、フック部を形成する少なくとも一つの碗皿置放フレームと、
頂端に、盛水槽を有し、前記盛水槽の槽口箇所に、唇縁を延伸し、前記碗皿置放フレームの左右側フック部上に滑入されて、滴り落ちる水滴を受ける少なくとも一つの盛水盤と、
からなることを特徴とする厨房整理棚。
【請求項２】
前記側板の外側壁の底端に近接する箇所に、複数のスロットが凹設されて前記置放棒を定位させ、前記置放棒は、コの字型バーを有し、二端は、垂直に延伸した挿接部を有し、前記側板外壁の二スロット中に挿入し、前記置放棒が、挿接部と前記コの字型バーに裸設され、それぞれ、物品に必要な支承と側辺抵止の作用を提供することを特徴とする請求項１に記載の厨房整理棚。
【請求項３】
前記側板は、適当な箇所に、貫通槽を有し、前記貫通槽の槽底縁中間に、フック部を有し、置物箱を定位させ、前記置物箱は、側壁面に、L字型の係合部を有し、前記側板外側から、前記貫通槽中に穿入し、前記フック部と相互に係合して、同時に、前記置放箱の側壁と前記側板の相対する外側壁と相互に抵接することを特徴とする請求項１に記載の厨房整理棚。
【請求項４】
前記軟質管の一端は、直径が大きいキャップを形成し、前記側板の相対する内側壁面と相互に抵接して定位することを特徴とする請求項１に記載の厨房整理棚。
【請求項５】
前記軟質管のスロット槽の槽底部位に、凸柱を設置し、前記凸柱部位に相対する外側端は、挿孔を有して、掛棒を定位させ、前記掛棒は、U字型バーで、二端は、それぞれ、前記軟質管外側端の挿孔中に位置し、物品を掛ける作用を提供することを特徴とする請求項１に記載の厨房整理棚。
【請求項６】
前記バーは、外管と前記外管を穿伸する内バーを有し、長さを調整することを特徴とする請求項１に記載の厨房整理棚。
【請求項７】
前記外管は、孔径が小さい穿出端を有すると共に、前記穿出端に近接する内壁に、抵接環縁を有し、前記内バー一端は、大きい直径の係合端縁を形成し、もう一端が、前記外管から穿入して伸長する時、前記係合端縁と前記抵接環縁の係合により、前記内バーの伸縮調整時に、脱落しにくいことを特徴とする請求項６に記載の厨房整理棚。
【請求項８】
前記碗皿置放フレーム底端の跨置部とフック部は、適当に湾折したＵ字型金属バーにより構成されることを特徴とする請求項１に記載の厨房整理棚。
【考案の詳細な説明】
【技術分野】
【０００１】
本考案は、整理棚に関するものであって、特に、使用者自身で組み立てが可能で、需要に応じて、随意に、厨房の適当な場所に置放することが出来、各種皿器を容置することができる整理棚に関するものである。
【背景技術】
【０００２】
厨房用具は、種類が非常に多く、特に、洗浄、乾燥が必要な各種皿、碗、布きん、まな板等の小物は、処理が非常に面倒である。早期には、皿用置放籠により収納していたが、置放籠を置放する空間に制限があり、また、収納や取り出しも不便で、よって、複数の金属バーにより、調理机や、流し台、壁等、適当なところに溶接していた。
【０００３】
公知の置放棚は、置放功能しか有せず、まな板や布きん、各種小物を収容置放することができない。また、置放棚は、盛水構造がなく、洗浄後の碗、皿が未乾燥な状態で置放され、その水滴が下に落ち、流し台や調理机を濡らしてしまう。その上、置放棚は、その放置に、大きい平面の空間を必要とし、また、鎖固の方式で壁面に装着される置放棚は、空間の占有が少ないが、装着後、取り外しが困難で、壁面が損傷を受ける。更には、置放棚は一体溶接成形で、一定の規格と置放空間を有し、置放空間、或いは、置放容量の異なる需要に応じて、フレキシブルに変化することが出来ず、使用効能が大幅に減少し、消費者のニーズに符合していない。
【考案の開示】
【考案が解決しようとする課題】
【０００４】
本考案は、上述の問題を改善する厨房整理棚を提供することを目的とする。
【課題を解決するための手段】
【０００５】
本考案の厨房整理棚は、二つの側板を有し、その頂部に貫通孔を有し、外壁は、定位環縁を有する軟質管を有して定位し、軟質管の内側に、それぞれ、挿置槽を凹設して、バーの端部を定位し、バーは、複数の碗皿置放フレームを跨置する。碗皿置放フレーム底端は、それぞれ、盛水盤を滑設し、碗皿置放フレームから落ちる水滴を受ける。
【考案の効果】
【０００６】
本考案により、使用者は、自身で簡単に組み立てが可能で、需要に応じて、随意に、厨房の適当な場所に置放することが出来、各種皿器を容置することができる。
【考案を実施するための最良の形態】
【０００７】
図１は、厨房整理棚の好ましい具体例を示す図である。厨房整理棚は、二つの側板１０、四つの軟質管２０、二つのバー３０、三つの碗皿置放フレーム４０、二つの盛水盤５０、置放棒６０、置放箱７０、及び、掛棒８０、からなる。
【０００８】
更に、図２〜図４を併せて参照すると、側板１０は、それぞれ、プラスチック材で、吹気方式で一体成形され、左右対称の中空板体を呈し、頂端二側は、それぞれ、貫通孔１１を形成している。貫通孔１１内壁縁のほぼ中間に、定位環緑１１１を設け、また、側板１０内、外側壁の底端に接近する二側に、それぞれ、スロット１２が対称に凹設されている。また、側板１０のスロット１２上方の適当な箇所に、貫通槽１３を有し、貫通槽１３の槽底縁中間に、フック１３１を有する。
【０００９】
軟質管２０は、それぞれ、ゴム材から一体成形される中空柱状体で、一端に、内凹のスロット槽２１を形成し、且つ、スロット槽２１の槽底部位に、凸柱２２を設置する。もう一端の凸柱２２に相対する箇所に、挿孔２３を有する。軟質管２０外周壁面のほぼ中間部に、更に、定位環溝２４を設置し、一端は、直径の大きいキャップ２５を形成し、軟質管２０が、側板１０内側から外に、各貫通孔１１中に嵌入された後、定位環溝２４と貫通孔１１中の定位環緑１１１が、相互に係合して定位する。同時に、軟質管２０のキャップ２５も、それぞれ、側板１０の相対する内側壁面と相互に抵接して定位する。
【００１０】
バー３０は、図５を併せて参照すると、それぞれ、外管３１と内バー３２を有し、外管３１は、孔径が小さい穿出端３１１を有すると共に、穿出端３１１に近接する内壁に、抵接環縁３１２を有し、内バー３２一端は、大きい直径の係合端縁３２１を形成し、内バー３２の係合端縁３２１に相対するもう一端は、外管３１の穿出端３１１に相対するもう一端から穿入すると共に、穿出端３１１から穿出して伸長する時、係合端縁３２１と抵接環縁３１２の係合により、内バー３２の伸縮調整時に、脱落しにくい。また、バー３０の二端は、それぞれ、側板１０内側から相対する軟質管２０のスロット槽２１に挿入され、必要な支承作用を提供する。
【００１１】
碗皿置放フレーム４０は、それぞれ、複数の金属棒４１により適当に溶接されてなり、頂端は、碗皿を承載する置放空間４２を形成すると共に、底端前、後側は、それぞれ、U字型金属棒により、湾折されてなる跨置部４３を形成し、底端左、右側に、それぞれ、U字型金属棒により、湾折されてなるフック部４４を形成し、跨置部４３が、バー３０上に定位される。
【００１２】
盛水盤５０は、頂端に、盛水槽５１を凹設し、盛水槽５１の槽口箇所に、水平方向に延伸した唇縁５２を有し、前、後方向に、碗皿置放フレーム４０の左右側フック部４４上に滑入される。
【００１３】
置放棒６０は、コの字型バー６１を有し、バー６１の二端は、垂直に延伸した挿接部６２を有し、それぞれ、任意の側板１０外壁の二スロット１２中に挿入し、置放棒６０が、挿接部６２とコの字型バー６１に裸設され、それぞれ、物品に必要な支承と側辺抵止の作用を提供する。
【００１４】
置放箱７０は、図７を併せて参照し、一側壁面は、L字型の係合部７１を有し、任意の側板外側から、貫通槽１３中に穿入し、更に、貫通槽１３中間部のフック部１３１と相互に係合して、同時に、置放箱７０の側壁は、側板１０の相対する外側壁と相互に抵接する。
【００１５】
掛棒８０は、U字型バーで、二端は、それぞれ、軟質管２０外側端の挿孔２３中に位置し、掛棒８０は、物品を掛ける作用を提供する。
【００１６】
上述のような素子により、以下のような効果が達成される。
【００１７】
図７を参照すると、本考案の厨房整理棚は、厨房流し台ａの水槽ｂ上方に応用され、厨房整理棚が組み立てられた後、装着空間、或いは、置放容量の違いにより、バー３０の長さを伸縮調整するもので、即ち、本実施例は、水槽ｂの幅、大きさにより、適当に調節し、側板１０は、中間部位の水槽ｂを跨過して、流し台に位置し、使用において、使用者は、三組の碗皿置放フレーム４０上二形成された置放空間４２を利用して、それぞれ、異なる形態の碗、皿、コップを平放、或いは、挿置し、碗皿置放フレーム４０下方の盛水盤５０により、盛水功能を提供し、各碗、皿に付着している水滴が落ちるのを防止する。この他、使用者は、まな板を置放棒６０の挿接部６２上に直立置放することができ、コの字型バー６１により、抵接固定功能を提供する。また、布きんは、直接、置放棒６０上方の掛棒８０上に掛けることができ、置放箱７０にも、各種小物を置放することができる。
【００１８】
最後に、本考案の特色と達成される功能を以下にまとめると、
１．       
本考案の厨房整理棚は、いかなる工具も必要とせず、簡単に、組み立て、分解が出来る。
２．       
本考案の厨房整理棚のバー３０は、伸縮調整機能を有し、装着空間、或いは、置放容量の違いに応じて、フレキシブルに調整が可能で、厨房の机、流し台、水槽二側等の平台上に装着でき、幅広い応用が可能で、碗皿置放フレーム４０の形態と数量を変化させて、各種異なる形態と数量の皿、碗を置放することができる。
３．       
本考案は、碗皿置放フレーム４０下方に、盛水盤５０を設置し、碗皿置放フレーム４０から滴り落ちる水滴を受けて、平台が濡れるのを防止し、乾燥した状態を保持することが出来る。
４．       
置放棒６０、置放箱７０、及び、掛棒８０を有し、まな板や布きん、各種小物を掛けたり、置放したり出来るので、厨房整理棚の使用功能と付加価値を向上させる。
【００１９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００２０】
【図１】本考案の厨房整理棚の外観図である。
【図２】本考案の局部立体図である。
【図３】本考案の側板、軟質管、バーの立体分解図である。
【図４】本考案の側板と相関する素子を示した説明図である。
【図５】本考案のバーの局部組合せを示した説明図である。
【図６】本考案の側板と置物箱の組合せ断面を示した説明図である。
【図７】本考案の実施応用例を示した説明図である。
【符号の説明】
【００２１】
１０…側板
１１…貫通孔
１１１…定位環緑
１２…スロット
１３…貫通槽
１３１…フック
２０…軟質管
２１…スロット槽
２２…凸柱
２３…挿孔
２４…定位環溝
２５…キャップ
３０…バー
３１…外管
３１２…抵接環縁
３１１…穿出端
３１２…抵接環縁
３２…内バー
３２１…係合端縁
４０…碗皿置放フレーム
４１…金属棒
４２…置放空間
４３…跨置部
４４…フック部
５０…盛水盤
５１…盛水槽
５２…唇縁
６０…置放棒
６１…コの字型バー
６２…挿接部
７０…置放箱
７１…フック部
８０…掛棒
ａ…流し台
ｂ…水槽
【図１】
0003111071.tif 000003
【図２】
0003111071.tif 000004
【図３】
0003111071.tif 000005
【図４】
0003111071.tif 000006
【図５】
0003111071.tif 000007
【図６】
0003111071.tif 000008
【図７】
0003111071.tif 000009